【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
１以上のジヒドロキシ置換芳香族炭化水素部分及び１以上の芳香族ジカルボン酸部分から誘導された連鎖構造単位を含み、ポリエステル連鎖セグメントの２以上のモノマー単位を結合する無水物結合を実質的に含まないブロックコポリエステルカーボネートの製造方法であって、
（ａ）１以上のジヒドロキシ置換芳香族炭化水素部分及び１以上の芳香族ジカルボン酸部分から誘導された構造単位を含むヒドロキシ末端ポリエステル中間体を製造し、
（ｂ）水と、実質的に水と非混和性非混和性の有機溶媒と、塩基とを含む反応混合物中でポリエステル中間体とホスゲンとの反応を実施し、その際ホスゲンの総添加量の６０％以上が添加されるまでの期間実質的に一定の塩基／ホスゲンモル比で塩基とホスゲンを同時に反応混合物に添加する
ことを含んでなる方法。
【請求項２】
１以上のジヒドロキシ置換芳香族炭化水素部分が構造ＨＯ−Ｄ−ＯＨを有しており、Ｄが次式の構造の二価芳香族基である、請求項１記載の方法。
【化１】
2005521765.tif 000001
式中、Ａ1は芳香族基であり、Ｅは１以上のアルキレン基、アルキリデン基、環式脂肪族基、含イオウ結合、含リン結合、エーテル結合、カルボニル基、第三窒素基又は含ケイ素結合であり、Ｒ1は水素又は一価炭化水素基であり、Ｙ1は水素、一価炭化水素基、アルケニル、アリル、ハロゲン、臭素、塩素、ニトロ及びＯＲ（ただし、Ｒは一価炭化水素基である。）からなる群から選択され、「ｍ」は０からＡ1上で置換可能部位の数までの任意の整数を表し、「ｐ」は０からＥ上で置換可能部位の数までの整数を表し、「ｔ」は１以上の整数を表し、「ｓ」は０又は１であり、「ｕ」は０を含む任意の整数を表す。
【請求項３】
前記ジヒドロキシ置換芳香族炭化水素部分が、３−（４−ヒドロキシフェニル）−１，１，３−トリメチルインダン−５−オール、１−（４−ヒドロキシフェニル）−１，３，３−トリメチルインダン−５−オール、６，６’−ジヒドロキシ−３，３，３’，３’−テトラメチル−１，１’−スピロビインダン、４，４’−（３，３，５−トリメチルシクロヘキシリデン）ジフェノール、４，４’−ビス（３，５−ジメチル）ジフェノール、１，１−ビス（４−ヒドロキシ−３−メチルフェニル）シクロヘキサン、４，４−ビス（４−ヒドロキシフェニル）ヘプタン、２，４’−ジヒドロキシジフェニルメタン、ビス（２−ヒドロキシフェニル）メタン、ビス（４−ヒドロキシフェニル）メタン、ビス（４−ヒドロキシ−５−ニトロフェニル）メタン、ビス（４−ヒドロキシ−２，６−ジメチル−３−メトキシフェニル）メタン、１，１−ビス（４−ヒドロキシフェニル）エタン、１，１−ビス（４−ヒドロキシ−２−クロロフェニル）エタン、２，２−ビス（４−ヒドロキシフェニル）プロパン、２，２−ビス（３−フェニル−４−ヒドロキシフェニル）プロパン、２，２−ビス（４−ヒドロキシ−３−メチルフェニル）プロパン、２，２−ビス（４−ヒドロキシ−３−エチルフェニル）プロパン、２，２−ビス（４−ヒドロキシ−３−イソプロピルフェニル）プロパン、２，２−ビス（４−ヒドロキシ−３，５−ジメチルフェニル）プロパン、３，５，３’，５’−テトラクロロ−４，４’−ジヒドロキシフェニル）プロパン、ビス（４−ヒドロキシフェニル）シクロヘキシルメタン、２，２−ビス（４−ヒドロキシフェニル）−１−フェニルプロパン、２，４’−ジヒドロキシフェニルスルホン、２，６−ジヒドロキシナフタレン、ヒドロキノン、レゾルシノール、及びＣ1-3アルキル置換レゾルシノールからなる群から選択される１種以上である、請求項１記載の方法。
【請求項４】
芳香族ジカルボン酸部分が芳香族ジカルボン酸二塩化物又は芳香族ジカルボン酸ジエステルからなる、請求項１記載の方法。
【請求項５】
芳香族ジカルボン酸部分が、二塩化イソフタロイル、二塩化テレフタロイル、ナフタレン−２，６−ジカルボン酸二塩化物及びこれらの混合物からなる群から選択される芳香族ジカルボン酸二塩化物、又はイソフタル酸ジフェニル、テレフタル酸ジフェニル、ナフタレン−２，６−ジカルボン酸ジフェニル及びこれらの混合物からなる群から選択される芳香族ジカルボン酸ジエステルである、請求項４記載の方法。
【請求項６】
ポリエステル中間体とホスゲンの反応がさらに、第三アミン、第四アンモニウム塩、第四ホスホニウム塩、ヘキサアルキルグアニジニウム塩及びこれらの混合物からなる群から選択される１以上の触媒を含む、請求項１記載の方法。
【請求項７】
１以上の１，３−ジヒドロキシベンゼン部分及び１以上の芳香族ジカルボン酸部分から誘導された連鎖構造単位を含み、ポリエステル連鎖セグメントの２以上のモノマー単位を結合する無水物結合を実質的に含まないブロックコポリエステルカーボネートの製造方法であって
（ａ）１以上の１，３−ジヒドロキシベンゼン部分及び１以上の芳香族ジカルボン酸部分から誘導された構造単位を含むヒドロキシ末端ポリエステル中間体を製造し、
（ｂ）水と、実質的に水と非混和性非混和性の有機溶媒と、塩基とを含む反応混合物中でポリエステル中間体とホスゲンとの反応を実施し、その際ホスゲンの総添加量の６０％以上が添加されるまでの期間実質的に一定の塩基／ホスゲンモル比で塩基とホスゲンを同時に反応混合物に添加する
ことを含んでなる方法。
【請求項８】
０．４〜２．５：１の範囲のモル比の二塩化テレフタロイルと二塩化イソフタロイルの混合物及び非置換レゾルシノールから誘導された連鎖構造単位を有するポリエステルブロックセグメントと、１以上の非置換レゾルシノール及びビスフェノールＡから誘導された連鎖構造単位を有するポリカーボネートセグメントとを含み、ポリエステルブロックの２以上のモノマー単位を結合する無水物結合を実質的に含まないブロックコポリエステルカーボネートの製造方法であって、
（ａ）４以上の重合度を有するヒドロキシ末端ポリエステル中間体を製造し、
（ｂ）水とジクロロメタンと１以上の触媒と塩基とを含む反応混合物中でポリエステル中間体とホスゲンとの反応を実施し、その際ホスゲンの総添加量の６０％以上が添加されるまでの期間実質的に一定の塩基／ホスゲンモル比で塩基とホスゲンを同時に反応混合物に添加する
ことを含んでなる方法。
【請求項９】
０．４〜２．５：１の範囲のモル比の二塩化テレフタロイルと二塩化イソフタロイルの混合物及び非置換レゾルシノールから誘導された連鎖構造単位を有するポリエステルブロツクセグメントと、１以上の非置換レゾルシノール及びビスフェノールＡから誘導された連鎖構造単位を有するポリカーボネートセグメントとを含み、ポリエステルブロックの２以上のモノマー単位を結合する無水物結合を実質的に含まないブロックコポリエステルカーボネートの界面製造方法であって、
（ａ）水と実質的に水と非混和性の１以上の有機溶媒との混合物中で１以上の１，３−ジヒドロキシベンゼン部分及び１以上の触媒を混合し、
（ｂ）前記（ａ）で得られた混合物に、ｐＨを５〜８．５に維持しながら、調節された化学量論比の１以上の酸塩化物及び１以上の塩基を添加し、
（ｃ）酸塩化物の添加完了後、反応混合物のｐＨを７〜９の範囲の値に調節し、ポリマー鎖中の無水物結合を破壊するのに充分な時間反応混合物を攪拌することにより、ポリエステル中間体を製造し、
（ｄ）水、ジクロロメタン、１以上の触媒、及び塩基を含む反応混合物中でポリエステル中間体とホスゲンとの反応を実施し、その際添加中１．８〜２．５モル塩基／モルホスゲンの範囲内の実質的に一定の塩基／ホスゲンモル比で塩基とホスゲンを同時に反応混合物に添加する
ことを含んでなる方法。
【請求項１０】
ポリマー鎖の２以上のモノマー単位を結合する無水物結合を実質的に含まないブロックコポリエステルカーボネートの製造方法であって、
（ａ）１以上の１，３−ジヒドロキシベンゼン部分及び１以上の芳香族ジカルボン酸ジアリールエステルを含む溶融反応混合物中、エステル交換条件下で、４以上の重合度を有するヒドロキシ末端ポリエステル中間体を製造し、反応混合物からコポリエステルカーボネートを回収し、
（ｂ）水とジクロロメタンと１以上の触媒と塩基とを含む反応混合物中でポリエステル中間体とホスゲンとの反応を実施し、その際実質的に一定の塩基／ホスゲンモル比で塩基とホスゲンを同時に反応混合物に添加する
ことを含んでなる方法。